Podtech/llm-jp-corpus-v4-ja_patent huggingface dataset:
(57)【要約】      （修正有）【課題】水平線，垂直線の位置の確認が迅速に簡単に快適にできるよう液晶モニターの外枠部分に水平及び垂直方向位置確認指標を設けた，水平，垂直方向位置確認指標の付いた液晶モニター式光学機器（デジタルカメラ，デジタルビデオカメラ，カメラ機能付携帯電話）を提供する。【解決手段】（１）被写体の水平線の位置の確認を容易にできるようにするために，液晶モニターの外枠の左右の同一位置に，同一指標を設ける。（２）被写体の垂直線の位置の確認を容易にできるようにするために，液晶モニターの外枠の上下の同一位置に，同一指標を設ける。本発明は，以上の構成よりなる水平，垂直方向位置確認指標の付いた液晶モニター式光学機器を特徴とする。【選択図】図１
2005027200.tif 000002
【特許請求の範囲】
【請求項１】
デジタルカメラ等の液晶モニター式光学機器の液晶モニターの外枠部分に，水平，垂直方向位置確認指標を付けた液晶モニター式光学機器（デジタルカメラ，デジタルビデオカメラ，カメラ機能付携帯電話）
（１）液晶モニターの外枠部分の左右の同一位置に水平方向位置確認のための同一指標を設ける。
（２）液晶モニターの外枠部分の上下の同一位置に垂直方向位置確認のための同一指標を設ける。
以上の構成による液晶モニター式光学機器である。
【発明の詳細な説明】
【０００１】
【発明の属する技術分野】
この発明は，液晶モニター式光学機器の液晶モニターの外枠部分に，水平方向位置確認指標及び垂直方向位置確認指標を設けた液晶モニター式光学機器（デジタルカメラ，デジタルビデオカメラ，カメラ機能付携帯電話）に関するものである。
従来のカメラ等の光学機器は，ボデーの接眼部に付いたファインダーを通して被写体を見ており，ファインダーの視野（面積）の狭いことから，左右，上下の水平，垂直位置の確認が比較的容易であった。
しかし，最近のデジタルカメラをはじめとする光学機器は，ファインダーを通して被写体を見るより，液晶モニターを通して見るほうが，被写体が見やすく，構図を早く簡単に決めやすい。
このため，液晶モニターを利用して映像を撮る人が多くなっている。
これらの液晶モニターは，面積が１．５〜２．５インチとかなり広く，モニター面積が広いほど，全体像が見やすいため，近年，より広くなる傾向にある。
しかし，液晶モニターの面積が広くなると，被写体の全体像は見やすくなるものの，画面の左右の水平位置（例えば海）及び上下の垂直位置（例えば柱）の確認がしにくくなる。
このため，水平線，垂直線をあらかじめ印刷した透明式ラベルを液晶モニターに貼りつける方法もみられるが，被写体が見づらくなる欠点がある。
このような欠点をなくし，水平線，垂直線の位置の確認を迅速に容易にできるようにするため，液晶モニターの外枠部分に，水平及び垂直方向位置確認指標を設けたのが本発明である。
【０００２】
【従来の技術】
従来，水平及び垂直方向位置確認指標を設けたデジタルカメラ等の光学機器はなかった。
水平線，垂直線をあらかじめ印刷した透明式ラベルを液晶モニターに張りつける方法もあるが，画面が見にくくなる欠点がある。
【０００３】
【発明が解決しょうとする課題】
これは，次のような欠点があった。
（１）デジタルカメラ等の光学機器の利用者は，使用に際して，液晶モニターの画面を見ながら，経験と勘により，水平及び垂直方向の位置を確認するが，モニターの画面が広いため，構図を決めるのに時間がかかり，折角のシャッターチャンスを逃すことが多い。
（２）撮影後の写真等の映像をみてみると，水平及び垂直方向の位置が曲がっていることが多い。
本発明は，このような課題を解決し，デジタルカメラ等の光学機器を迅速に，容易に，快適に使用できるようにしたものである。
【０００４】
【課題を解決するための手段】
（１）被写体の水平線の位置の確認を容易にできるようにするために，液晶モニターの外枠の左右の同一位置に，同一指標を設ける。
（２）被写体の垂直線の位置の確認を容易にできるようにするために，液晶モニターの外枠の上下の同一位置に，同一指標を設ける。
本発明は，以上の構成よりなる水平，垂直方向位置確認指標の付いた液晶モニター式光学機器（デジタルカメラ，デジタルビデオカメラ，カメラ機能付携帯電話）である。
【０００５】
【発明の実施の形態】
以下，発明の実施の形態について説明する。
（１）被写体の水平線の位置の確認を容易にできるようにするために，液晶モニターの外枠の左右の同一位置に，同一指標を設ける。
（２）被写体の垂直線の位置の確認を容易にできるようにするために，液晶モニターの外枠の上下の同一位置に，同一指標を設ける。
本発明は，以上のような構造で，これを使用する際，海等の水平線を確保したいと思えば液晶モニターの外枠の左右の同一位置に設けてある同一指標に被写体の水平線を合わせればよく，また，柱等の垂直線を確保したいと思えば液晶モニターの外枠の上下の同一位置に設けてある同一指標に被写体の垂直線を合わせるようにすればよい。
これらの行動は，液晶モニターに水平，垂直指標が設けてあることにより，特別に操作しなくても，無意識に水平線，垂直線が確保されると思われる。
【０００６】
【発明の効果】
（１）デジタルカメラ等の光学機器を使用する人の立場からすると，撮影する時に，水平，垂直方向の位置の確認が迅速に簡単に快適に行え，シャッターチャンスを逃さない。
（２）このような水平，垂直方向位置確認指標の付いた液晶モニター式光学機器の製造にあたっては，特別の設計変更，新たな大規模製造機械の導入等を必要としないため，新たな投資も不要と思われ，購入価格の高騰をきたすおそれもないと思われる。
（３）デジタルカメラ等の光学機器を製造，販売する側の立場からするとこのような水平，垂直方向位置確認指標の付いた液晶モニター式光学機器の製造にあたっては，特別の設計変更，新たな大規模製造機械を導入することなく，製造過程で，液晶モニターの外枠部分に指標をつけるだけで済み，製造方法，製造期間，販売価格等への影響もほとんどないと思われる。
【図面の簡単な説明】
【図１】本発明の正面図である。
2005027200.tif 000003
【符号の説明】
１  液晶モニター
２  水平方向位置確認指標
３  垂直方向位置確認指標
４  透視式ファインダー
【図１】
2005027200.tif 000004
(57)【要約】【課題】  電柱や鉄塔等の電気充電部付近への鳥獣類による営巣や昇降による感電停電事故の発生、または、生ゴミ置場等での鳥獣類による生ゴミ食害によるゴミ散乱などを防止するために、鳥獣類が対象物へ接近する行為そのものを抑制するための忌避具を提供する。【解決手段】  本発明の鳥獣類の忌避具は、鳥獣類が本能的に保有している有害物質への忌避官能に着眼したもので、砒素からなる化合物を含有させた金属やプラスチックなどの忌避具を対象物に設置するだけで、鳥獣類が対象物の一定範囲内に近寄ることを抑制する。【選択図】    図１
2005027573.tif 000002
【特許請求の範囲】
【請求項１】
電柱や鉄塔、あるいは生ゴミ置場等に用いる鳥獣類の忌避具であって、砒素からなる化合物を含有することを特徴とする鳥獣類の忌避具。
【発明の詳細な説明】
【技術分野】
【０００１】
本発明は、電柱や鉄塔等の電気充電部付近への鳥獣類による営巣や昇降、または、生ゴミ置場等での鳥獣類による生ゴミ食害等を防止するために設置する、鳥獣類の忌避具に関する。
【背景技術】
【０００２】
従来の鳥獣類の忌避具には、電柱や鉄塔等の電気充電部付近への鳥の営巣による感電停電事故を防止するために、鳥を止まれなくする侵入防止用器具（例えば、特許文献1参照。）や忌避効果を期待した物理的刺激器具（例えば、特許文献2参照。）がある。
【特許文献１】特開平11-187803号公報  （特許請求の範囲、第3図）
【特許文献２】特開平9-322699号公報  （特許請求の範囲、第1図）
【発明の開示】
【発明が解決しようとする課題】
【０００３】
しかしながら、上記の従来の技術に記載のような対策を講じても鳥獣類の学習能力により、忌避効果が十分に持続しないため、抜本的な解決になっていなかった。このため、忌避対策費が継続的に発生したり，巣の撤去工事費用が毎年膨大であったり、生ゴミの散乱による景観の悪化や清掃負担が問題となっていた。そこで本発明は、このような鳥獣類が電柱等の対象物へ接近する行為そのものを抑制するための忌避具を提供することを目的とする。
【課題を解決するための手段】
【０００４】
本発明の鳥獣類の忌避具は、鳥獣類が本能的に保有している有害物質への忌避官能に着眼したもので、砒素からなる化合物を含有させた金属やプラスチックなどを忌避具として対象物に設置する。
【発明の効果】
【０００５】
本発明で提供する鳥獣類の忌避具は、鳥獣類の忌避を目的とする対象物へ直接または周辺に設置することで，電柱や鉄塔等の電気充電部付近への鳥獣類による営巣や昇降による感電停電事故の発生防止、または、生ゴミ置場等での鳥獣類による生ゴミ食害によるゴミ散乱などを防止できる。このことにより、対象物の所有者や管理者に対して、従来の対策費の軽減や停電事故の未然防止、清掃費削減という経済的な受益がもたらされる効果がある。更に、生ゴミの散乱という環境悪化や悪臭の発生も防止できるため、都市環境の美化維持が可能である。
【発明を実施するための最良の形態】
【０００６】
本発明の鳥獣類の忌避具は、砒素からなる化合物を金属やプラスチックなどの忌避具形成材料に必要量混合して、バンドや置物、さらには取付対象物の構造部品の一部などとして製品化する。
【０００７】
忌避具は、取付対象物の構造により、バンドや置物、さらには取付対象物の構造部品の製品を選択して取り付ける。さらに、金属製置物は、磁石化処理を行うことにより、電柱の腕金などの金属部へも取付部品無しに容易に取り付けができるようになる。
【０００８】
鳥類は、砒素を含有した銅像へ近寄らないという現象が観察されている。忌避具へ混入する砒素の量は、忌避具を構成する金属やプラスチックなどの主材料の重量又は容積に対して、微量でも効果が期待できるが、少なくとも数％以上混入することが好ましい。鳥獣類は、対象物に設置した忌避具から発せられる混合した砒素の情報を敏感に感じ取り、ある一定範囲内へ侵入しようとしない。
【０００９】
これにより、電柱等では営巣や昇降が防止でき、生ゴミ置場ではゴミ荒しが防止できる。
【実施例１】
【００１０】
図１は、コンクリート電柱の腕金への鳥の営巣を防止するための実施例である。図２は、生ゴミ置場のゴミ袋の食害を防止するための実施例である。ただし、本発明はこの実施例によって制限されるものではない。
【００１１】
図１では、コンクリート電柱１の腕金２の特に電気充電部（碍子４付近）への鳥の営巣を防止するために、バンド式忌避具６ａの場合は、最寄りのコンクリート電柱１に設置する。また、置物式忌避具６ｂの場合は、碍子４付近の腕金２に設置する。なお、腕金２自体を忌避具として製造使用することも可能である。
【実施例２】
【００１２】
図２では、生ゴミ置場のゴミ袋５の食害を防止するために、最寄りの電柱１にバンド式忌避具６ａを設置したケースと、生ゴミ置場の周囲に置物式忌避具６ｂを設置したケースを示す。
【図面の簡単な説明】
【００１３】
【図１】本発明のコンクリート電柱の腕金への鳥の営巣を防止するための実施例。
【図２】本発明の生ゴミ置場のゴミ袋の食害を防止するための実施例。
【符号の説明】
【００１４】
１  コンクリート電柱
２  腕金
３  電線
４  支持碍子
５  ゴミ袋
６ａ  バンド式忌避具
６ｂ  置物式忌避具
【図１】
2005027573.tif 000003
【図２】
2005027573.tif 000004
(57)【要約】【課題】  美味しい魚の調理法を開発し、魚の消費量を増大する。【解決手段】  一皿サイズにカットした切身魚を塩水に漬けた後、0℃〜6℃の乾燥風で初期重量の80〜90%まで乾燥し、0℃〜3℃、RH90%以上の湿度の微風下で約10時間低温熟成させる。【選択図】  なし【特許請求の範囲】
【請求項１】
その大きさに応じて、輪切りあるいは三枚におろし一皿サイズにカットした切身魚を塩水に漬けた後、0℃〜6℃の乾燥風で初期重量の80〜90%好ましくは85%まで乾燥し、0℃〜3℃、RH90%以上の微風下で10±3時間低温熟成させるシーフードステーキ材料の作り方。
【発明の詳細な説明】
【技術分野】
【０００１】
本発明は、魚の調理分野に属する。
【背景技術】
【０００２】
従来、シーフードステーキとしては、サーモンステーキがその代表であるが、輪切りなどにカットされた魚を調味料・スパイスなどを使用して調理している。
【発明の開示】
【発明が解決しようとする課題】
【０００３】
このようなシーフードステーキは、それなりの需要はあるが、魚特有の臭みが残っているなど、これを嫌う人も少なくない。わが国の食生活が、欧米風化し、肉類の消費が増え、魚類の消費が減少していることが、国民の健康ほか、いろいろな点で問題を起こしていることに鑑み、食生活の魚への復帰の一助として洋風感覚の魚の食べ方ができるシーフードステーキの風味の改善を行う。
【課題を解決するための手段】
【０００４】
魚の大きさに応じて、輪切りあるいは三枚におろし一皿サイズにカットした切身魚を塩水に漬けた後、0℃〜6℃の乾燥風で初期重量の80〜90%好ましくは85%まで乾燥し、0℃〜3℃、RH90%以上の微風下で10±3時間低温熟成させる。
【０００５】
0℃〜6℃の温度域で乾燥することにより、通常の低温乾燥の温度（15〜30℃)で乾燥する場合に起こる魚の切身の酸化をはじめとする成分変化を防ぐことが出来、乾燥させる(水分を除去する)ことによりうまみ成分を凝縮させ、美味しさを増大させることが出来、0℃〜3℃の温度で相対湿度90%以上の環境下に10時間程度おくことにより、伝統食品の寒干し、寒ざらし、寒仕込みのようなうまさを熟成させることが出来る。
【発明の効果】
【０００６】
本発明の普及により、魚類の需要は増え、国民健康上、産業政策上、大きい効果を得ることが出来る。
なお、実施例に示す調理法は、ベ−シックなものであり、調味料、スパイス、加熱方法などの工夫により、無限に変化される。
【実施例】
【０００７】
鮭の切身を1%前後の薄い塩水に氷片を入れた冷塩水に30分ほど漬けた後、5℃の乾燥風で約6時間乾燥し(乾燥歩留まり約85%)、0℃の低温庫で約10時間低温熟成した後ホットプレートで加熱調理して試食すると、薄味であるが魚の持ち味がよく出て美味しく、しかも低塩で健康的と好評であった。
このほか、鯛、タラ、イカ、カレイ、まなかつを、フグ、キスなどで同様に試してみたが、いずれも在来の調理法に比べて格段に美味しいと好評を得た。
(57)【要約】【課題】  犬を散歩させる時の糞の処理と糞を持ち帰った後の処理が、不衛生でしにくいものだった。【解決手段】  犬の糞を、地面に落ちる前に、口を開けた状態で重ねられた二層になった袋の入ったカートリッがセットされた本体でキャッチする。カートリッジの中の二層になった袋を引き出し、上部のひもを引っ張り巾着状にし、持ち帰る。二層になった袋の内側の水洗トイレに流せる素材でできた袋状のものごと水洗トイレに流し処理する。【選択図】          図１
2005027570.tif 000002
【特許請求の範囲】
【請求項１】
犬の糞を地面に落ちる前にキャッチすることを特徴とする犬の糞処理器
【請求項２】
外側は防水性のある素材、内側は水洗トイレに流せる素材の二層からなることを特徴とする袋
【請求項３】
二層になった袋の内側のものは、水洗トイレに流せる素材でできた袋状で、糞を持ち帰った後、その袋ごと水洗トイレに流すことができることを特徴とする。
【請求項４】
請求項２記載の二層の袋が、口を開けて重ねられていることを特徴とするカートリッジ。
【請求項５】
請求項４記載のカートリッジを本体にセットすることにより、犬の糞を処理する袋をつける手間を省くことを特徴とする請求項１記載の犬の糞処理器。
【請求項６】
犬の糞をキャッチ後、請求項４のカートリッジの中の請求項２記載の二層の袋を一枚引き上げることにより、手で糞をつかむことなく衛生的に処理できることを特徴とする請求項１記載の犬の糞処理器。
【請求項７】
上部のひもを引くことにより口を絞ることができ、巾着状の袋となることを特徴とする請求項２記載の二層になった袋。
【請求項８】
巾着状の袋をつり下げることができるフックを備えることを特徴とする請求項１記載の犬の糞処理器。
【請求項９】
輪になった持ちひもが付いていることを特徴とする請求項１記載の犬の糞処理器。
【発明の詳細な説明】
【技術分野】
【０００１】
散歩時と持ち帰り後における犬の糞の処理に関する。
【背景技術】
【０００２】
犬の飼い主がビニール袋や新聞紙などを用いて、地面に落ちた犬の糞を拾い、拾った糞の持ち帰りの方法や、持ち帰った後の糞の処理も飼い主によりまちまちである。
【発明の開示】
【発明が解決しようとする課題】
【０００３】
従来技術によれば、一度地面に落ちた糞を拾わなければならない上、持ち帰りの際の運搬方法や持ち帰った糞の処理が簡単、且つ衛生的でない。そこで、この発明は、犬の糞が地面に落ちる前にキャッチすることと共に、キャッチした糞を簡単に、且つ衛生的に持ち帰ることができる方法、持ち帰った糞を簡単に、且つ衛生的に処理する方法を課題とする。
【課題を解決するための手段】
【０００４】
以上の課題を解決するために、請求項１の発明は、犬の排便時、糞の落下地点に本体を差し出し、糞が地面に落ちる前にキャッチする犬の糞処理器である。
【０００５】
請求項２の発明は、外側が犬の糞を持ち帰る際に丈夫なように防水性のある素材でできており、内側が水洗トイレに流せる素材でできている、二層になった袋である。
【０００６】
請求項３の発明は、二層になった袋の内側の素材が、水洗トイレに流せる素材でできた袋状のもので、糞を持ち帰った後、その袋ごと水洗トイレに流すことができるもので、糞の処理が簡単で、且つ衛生的である。
【０００７】
請求項４の発明は、本体にセットするカートリッジで、中には請求項２記載の二層になった袋が、あらかじめ口が開いた状態で重ねられて入っている。
【０００８】
請求項５の発明は、カートリッジを簡単に請求項１記載の犬の糞処理器にセットでき、請求項２記載の二層になった袋が口を開けた状態で重ねられていることにより、糞の処理のたびにビニール袋等をつける手間が省かれているものである。
【０００９】
請求項６の発明は、犬の糞をキャッチ後、請求項２記載の二層になった袋を一枚引き上げることにより、手で糞をつかむことなく衛生的に処理できるものである。
【００１０】
請求項７の発明は、請求項４記載のカートリッジの中に重ねられている請求項２記載の二層になった袋の上部にはひもが通っていることで、ひもを引くことにより口を絞ることができ、巾着状の袋となる。本体に設置したフックにつり下げることで、持ち帰りに便利である。
【００１１】
請求項８の発明は、請求項１記載の本体に備えられているフックで、糞の入った巾着状の袋をつり下げることができ、持ち帰りに便利なものである。
請求項９の発明は、請求項１記載の本体に備えられている、輪になった持ちひもで、手を通すことができ、本体の持ち運びに便利である。
【発明の効果】
【００１２】
以上説明したように、この発明によれば、散歩時と持ち帰った後の犬の糞を簡単に、且つ衛生的に処理することができる。
【発明を実施するための最良の形態】
【００１３】
この発明の一実施形態を図１、図２，図３に示す。図１の本体１はプラスチック又はステンレスなどできており、カートリッジ４を装着するところ８は板と枠からなり、枠部分にカートリッジを上からはめるだけで、簡単にセットでき、犬の糞をキャッチするときは蓋９を開けて使う。歩行時にはつえのように使うこともできる。また、輪になった持ちひも３・フック２がついていて、持ち運びの際に使用したり、巾着袋をつり下げたりできる。
【００１４】
カートリッジ４には、二層になった袋（外側は防水性のある素材でできた袋５、内側は水洗トイレに流せる素材でできた袋状のもの７）が口を開けた状態で重ねられて入っていて図２、カートリッジ４ごと本体１の装着部８にセットし、蓋９を開けて使用する。
【００１５】
犬の糞をキャッチ後は、二層になった袋を一枚ずつ引き上げて、上部に通ったひも６を引くことにより口が絞られ巾着状図３−１０になる。ひも６をフック２にかけて本体１につり下げることができる。
【００１６】
持ち帰り後は、水洗トイレに流せる袋７ごと、犬の糞を水洗トイレに流し処理する。
【００１７】
この実施形態によれば、犬の糞を地面に落とす前にキャッチすることができるので、手で糞に触れることなく衛生的に処理できる。
【００１８】
又、糞を持ち帰った後も二層になった袋の内側の袋ごと水洗トイレに流すことができるので簡単で、且つ衛生的である。
【図面の簡単な説明】
【００１９】
【図１】この発明の実施形態を示す斜視図である。
【図２】この発明の実施形態を示す斜視図である。
【図３】この発明の実施形態を示す斜視図である。
【符号の説明】
【００２０】
１  犬の糞処理器本体
２  フック
３  持ちひも
４  カートリッジ
５  防水性のある素材の袋
６  口絞りひも
７  水洗トイレに流せる素材でできた袋状のもの
８  カートリッジ装着部
９  蓋
10  巾着袋
【図１】
2005027570.tif 000003
【図２】
2005027570.tif 000004
【図３】
2005027570.tif 000005
(57)【要約】【課題】ヒートアイランド現象の軽減を目的とする都市緑化の一環として屋上緑化が行われているが、従来の潅水方法に関してはランニングコストや管理維持する為の費用がかかり、又保水に関しては水分の貯水時間が短く、管理する為の手間がかかった。低コストで維持でき、かつ省力的な管理が望まれていた。【解決手段】本発明は、雨水を効果的に排水する材料を均等もしくは不均等に配置してから覆土する方法で、維持コストが低く、かつ管理が容易な屋上緑化を実現し、課題を解決する。【特許請求の範囲】
【請求項１】
建築物屋上の植樹等を維持管理する為に、雨水を効果的に排水する材料を、均等もしくは不均等に配置してから覆土し、毛細菅現象とサイフォン効果の機能を活用して水だけを排水する方法。
【請求項２】
建築物屋上の植樹等を維持管理する為に、排水機能と保水機能を有する材料を土壌に埋設して雨を貯水し、この雨水を毛細管現象によって乾燥した土壌に効果的に浸透させることによって植物に供給する方法。
【請求項３】
建築物屋上の植樹等を維持管理する為に、雨水を効果的に排水する材料を埋設・覆土し、毛細菅現象とサイフォン効果の機能を活用して水を給排水する方法。
【発明の詳細な説明】
【０００１】
【発明の属する技術分野】
本発明は、建築物屋上敷地の土壌に特殊材料を埋設し、植生に適した排水・保水機能を提供する技術に関するものである。
【０００２】
【従来の技術】
従来の屋上緑化では、潅水技術としてタイマーでセットできる自動吸水装置やしみだしパイプを使用する方法、また保水技術として乾燥防止用の火山砂利やウッドチップなどのマルチング材を設け、基盤部分にプラスチック製のパネルや繊維質のマット層を設けて雨水を貯水する方法、がそれぞれ主流となっている。
【０００３】
【発明が解決しようとする課題】
ヒートアイランド現象の軽減を目的とする都市緑化の一環として屋上緑化が行われているが、従来の潅水方法ではランニングコストや維持管理費用がかかり、また従来の保水方法では水分の貯水時間が短いため管理の手間がかかるなどの短所があった。そのため、低コストで維持でき、かつ省力的な管理が望まれていた。
【０００４】
【課題を解決する為の手段】
本発明は、安価な材料を用い、無動力で排吸水を行い、頻繁なメンテナンスが不要であり、長時間の保水が可能であるため、維持コストが低く、かつ管理が容易な屋上緑化を実現し、上記課題を解決する。
【０００５】
【発明の実施の形態】
次に本発明の実施の形態について説明する。
【０００６】
屋上緑化において、排水・保水出来るような形状の材料を、土壌中に均等もしくは不均等の間隔で配置し、各々を排水溝に接続する。
【０００７】
降雨時に土壌中に浸透してきた雨水を、排水・保水できるような形状の材料で、排水かつ／または保水する。
【０００８】
降雨後、土壌が乾き植生に必要な水分がなくなったとき、保水出来るような形状の材料に貯水した水分を供給する。
【０００９】
保水された水分を樹木・草花・芝等に自然供給することにより、屋上緑化の維持管理が省力化出来る。
【００１０】
利用分野としては、公共施設・民間ビルディング等の屋外・屋上緑化に利用できる。
【００１１】
【発明の効果】
低コストでの屋上緑化を実現することで、都市緑化を促進し、都市のヒートアイランド現象の軽減に貢献することが出来る。
(57)【要約】      （修正有）【課題】従来のモーターは、たとえば扇風機を例にとってみると回転軸に羽をつけて回転させ風をおこす、風力をより一層増そうとすると一本の軸に鉄心をふやすにも限界があり、鉄心を長くしコイルの巻き数を増やすか又はコイルに流す電流を多くするしかない。その為、モーター自体大きく重量化になり電力の消費も大きくなる。【解決手段】従来のモーターの形状を変え内部を空洞にしリング状にしたものである。その為、形状を大きくするには限界がなく必要におおじて鉄心を増やす事や電力の消費も抑えることも可能であり、その為形状や重量を大きく変える事無く回転力を増やす事が出来る。こうした利点を生かし薄型でリングの形状を大きくし内側空洞部分を最大限利用し数枚の羽を装着し回転させれば物体を空中に持ち上げる事も可能であり、水中においては推進力にもなりえる。又逆に空洞部分に風を通すことで電気の発生にも応用できる。【選択図】  図１
2005027490.tif 000002
【特許請求の範囲】
【請求項１】
モーターの回転軸（内心軸）をなくし、軸の部分を空洞にし従来のモーター全体をリング状にした。
【発明の詳細な説明】
【発明の明細な説明】
【技術分野】
【０００１】本発明は、モーターをリング型にすることにより回転力を失う事なく、さらに薄くかつ軽量にし空洞部分を利用するものである。
【発明の効果】
【０００２】リング型になったモーターの内側の空洞部分に羽をつけ回転させれば風をおこすことができる。またリング部分を拡張させ回転力をより一層ませば空中に物体を持ち上げることや筒状に組み合わせれば水中の推進力となる事も可能である。
逆に空洞部分の羽に風をあて回転させれば風力発電も可能である。
【発明を実施するための最良の形態】
【０００３】以下、本発明の実施の形態について説明する
（イ）リング状の本体にコイルを巻いた鉄心を傾斜させて６個組み込ませる。
（ロ）本体に組み込ませた鉄心を対角線上につなぎ合わせる。
（ハ）本体の外側部分にブラシをそれぞれの鉄心に接続する。
（二）リング状本体の外側の台座にベアリングを装着し本体をはめ込む。
（ホ）クリル板にリングの内径と同じく円を切り抜いて鉄心の位置に合わせて磁石を装着する。
（ヘ）両側台座板の片方に内径に沿ってブラシがあたるように薄い銅版を４枚はりつける。
（ト）銅版に配線をつなぎ合わせバッテリーに接続する。
【図面の簡単な説明】
【図１】    本発明の正面図である。
【図２】    本発明の断面図である。
【符号の説明】
１外枠の板
２ベアリング
３磁石
４本体
５コイルを巻いた鉄心
６ブラシ
７回転部分の台座の板
８台座の板（側面）
９空洞の部分
１０アクリル板
１１バッテリー
１２配線
１３薄い銅版
１４固定ボルト
１５固定ナット
【図１】
2005027490.tif 000003
【図２】
2005027490.tif 000004
(57)【要約】【課題】更なる高効率化、小型化を目指すことを目的するものである。【解決手段】シャフト１とシャフト１外周に永久磁石２を装着してなる回転子と、スロット構造のステータコアと電機子巻線４からなる固定子で構成され、かつ２ｎポール３ｎスロット（ｎは整数）構造のＡＣモータにおいて、固定子の歯部の幅Ｂｔ／スロットピッチを０．４５〜０．７の範囲にするとともに、固定子ヨーク厚みＤｙと固定子スロット歯部の幅Ｂｔの比率Ｄｙ／Ｂｔを０．４２〜０．５８の範囲にする。【選択図】        図１
2005027387.tif 000002
【特許請求の範囲】
【請求項１】
シャフトとシャフト外周に永久磁石を装着してなる回転子と、スロット構造のステータコアと電機子巻線からなる固定子で構成され、かつ２ｎポール３ｎスロット（ｎは整数）構造のＡＣモータにおいて、
前記固定子の歯部の幅Ｂｔ／スロットピッチが０．４５〜０．７の範囲にあり、且つ固定子ヨーク厚みＤｙと固定子スロット歯部の幅Ｂｔの比率Ｄｙ／Ｂｔが０．４２〜０．５８の範囲にあることを特徴とするＡＣモータの固定子。
【発明の詳細な説明】
【０００１】
【発明の属する技術分野】
本発明は、たとえばＡＣサーボモータの固定子に関するもので、特に固定子コアの形状に関するものである。
【０００２】
【従来の技術】
従来、たとえば永久磁石形ＡＣサーボモータ（以下、単にモータという）は、損失を低減し高効率化することにより、モータの小型化がなされている。損失を低減するためには、高特性のマグネットを使用することにより、銅損を減少させ、損失の低減を行っている（例えば、特許文献１参照）。
【０００３】
【特許文献１】
特開２０００−０６００４０号公報
【０００４】
【発明が解決しようとする課題】
しかしながら、高特性のマグネットを使用した場合、マグネットコストが上がり、且つ現状マグネット特性が最大エネルギー積で５０ＭＧＯｅ程度が最大であり、更なる高効率化、小型化が難しくなっている。
そこで、本発明は上記課題を解決し、更なる高効率化、小型化を目指すことを目的とするものである。
【０００５】
【課題を解決するための手段】
上記課題を解決するために、本発明は、シャフトとシャフト外周に永久磁石を装着してなる回転子と、スロット構造のステータコアと電機子巻線からなる固定子で構成され、かつ２ｎポール３ｎスロット（ｎは整数）構造のＡＣモータにおいて、前記固定子の歯部の幅Ｂｔ／スロットピッチを０．４５〜０．７の範囲にするとともに、固定子ヨーク厚みＤｙと固定子スロット歯部の幅Ｂｔの比率Ｄｙ／Ｂｔを０．４２〜０．５８の範囲にするようにしたものである。
【０００６】
【発明の実施の形態】
以下、本発明の実施例を図に基づいて説明する。
図１は本発明を示すＡＣサーボモータの側断面図である。回転子はシャフト１及び永久磁石２から、固定子はスロット歯部３、電機子巻線４、ヨーク５から構成され、回転子はベアリング６により支持されている。
図２は本発明を示すＡＣサーボモータの正断面図である。
図３は本発明を示すＡＣサーボモータの横軸Ｄｙ／Ｂｔとし、各固定子歯部の幅／スロットピッチの場合のモータ定数を示すグラフ図である。
モータ定数とは、モータ容量の目安を与えるもので、トルク／√銅損で表され、モータ定数が大きい場合は、銅損が小さいことを示す。
図３からわかるように、ＡＣサーボモータの固定子としては、固定子歯部の幅Ｂｔ／スロットピッチが０．４５〜０．７の範囲であり、且つ固定子ヨーク厚みＤｙと固定子スロット歯部幅Ｂｔとの比率Ｄｙ／Ｂｔが０．４２〜０．５８の範囲にあるときに、モータ定数が大きく、損失の少ない高効率のモータを構成することができる。
特に、固定子歯部の幅／スロットピッチが０．５〜０．６５で且つＤｙ／Ｂｔが０．４５〜０．５５の範囲が最適である。
【０００７】
【発明の効果】
モータ外径がある一定値の場合、固定子歯部の幅／スロットピッチが０．４５〜０．７の範囲にあり、且つモータの固定子ヨークの厚みＤｙと固定子スロット歯部の幅Ｂｔの比率Ｄｙ／Ｂｔが０．４２〜０．５８の範囲とした場合、固定子スロット内の電機子巻線スペースを最適化できることにより、モータ定数が最大つまり損失が最小となるため高効率化が可能である。
【図面の簡単な説明】
【図１】本発明の実施例におけるＡＣサーボモータを示す側断面図である。
【図２】図１おけるＡＣサーボモータを示す正断面図である。
【図３】本発明の実施例におけるＡＣサーボモータの、横軸をＤｙ／Ｂｔとした場合の、各固定子歯部の幅／スロットピッチの場合のモータ定数を示すグラフ図である。
【符号の説明】
１  シャフト
２  永久磁石
３  固定子スロット歯部
４  電機子巻線
５  固定子ヨーク
６  ベアリング
【図１】
2005027387.tif 000003
【図２】
2005027387.tif 000004
【図３】
2005027387.tif 000005
(57)【要約】【課題】本発明は、容易に製作でき生産性を向上させることのできる配線器具箱１の板金構造を提供することを目的としている。【解決手段】本発明に係る配線器具箱１の板金構造は、扉２のコーナー部分等に形成される曲面部を板金にて製作するとき、曲面部を形成するための展開孔を設けると共に、展開孔に整列させて複数の擬孔を設け、展開孔４をカモフラージュすると共に、意匠化し、溶接作業を省略し生産性を向上させながらも見栄えをよくする。【選択図】        図１
2005027377.tif 000002
【特許請求の範囲】
【請求項１】
曲面部を有する各種機器を収納する配線器具箱において、前記曲面部を板金にて製作するとき、前記曲面部を形成するための展開孔を設けると共に、該展開孔に整列させて複数の擬孔を設けたことを特徴とする配線器具箱の板金構造。
【発明の詳細な説明】
【０００１】
【発明の属する技術分野】
本発明は、曲面部を有する各種機器を収納する配線器具箱に関する。
【０００２】
【従来の技術】
従来の配線器具箱は扉のコーナー部分は材料を突き合わせて全周溶接していた。（例えば特許文献１参照。）しかしながら、全周溶接の場合溶接工数が多くなるため、図２に示すように、溶接片２１を用いてスポット溶接することもあった。また、図３に示すように、扉２２のコーナー部分には一部、切り欠き２３を設けて折り、曲面を形成していた。
【０００３】
【特許文献１】
特開平９−６５５１５号公報
【０００４】
【発明が解決しようとする課題】
しかしながら上記従来技術における配線器具箱では、スポット溶接する場合には特に板金の構造が複雑になり、作業が煩雑になっていた。また、扉２２のコーナー部分に切り欠き２３を設けて曲面を形成する方法では、製品の見栄えを悪くしていた。
【０００５】
【課題を解決するための手段】
そこで本発明は、容易に製作でき生産性を向上させることのできる配線器具箱の板金構造を提供することを目的とし、その構造は、曲面部を板金にて製作するとき、曲面部を形成するための展開孔を設けると共に、展開孔に整列させて複数の擬孔を設けたことを特徴とする。
【０００６】
【発明の実施の形態】
本発明に係る配線器具箱の板金構造は、扉のコーナー部分等、一部展開孔を形成して曲面部を形成する。溶接を省き、従来のものに設けていた切り欠きよりも、目立たせず展開孔を設け、また、この展開孔に整列させて擬孔を設け本来の展開孔をカモフラージュし、見栄えを悪くさせないようにする。
【０００７】
【実施例】
本発明に係る配線器具箱の板金構造の実施例を図１の添付図面に基づいて説明する。
【０００８】
各種機器や配線等を収納する配線器具箱１は、扉２のコーナー部分等に曲面を形成している。溶接の手間を省くため、コーナー部分の稜線に切り込み３を入れ、その奥に展開孔４を設ける。切り込み３は隙間が開かないように突き合わせて曲げ、展開孔４の部分のみ隙間を開け、見栄えを悪くしないようにする。
【０００９】
さらに展開孔４に整列させ複数の擬孔５を設け展開孔４をカモフラージュすると共に、意匠化し、展開孔４を目立たせないようにする。
【００１０】
また、展開孔４と擬孔５を設けることで、配線器具箱内部の放熱に使用することもできる。
【００１１】
【発明の効果】
以上述べたように本発明に係る配線器具箱の板金構造は、曲面部を板金にて製作するとき、曲面部を形成するための展開孔を設けると共に、展開孔に整列させて複数の擬孔を設けたため、溶接の必要なく板金作業で形成でき、溶接工数が削減でき、生産性の向上を図ることができる。また、スポット溶接の必要もないのでスポット溶接の際に用いていた溶接片も不要となり、容易に形成することができる。また、展開孔と複数の擬孔は放熱孔として用いることも可能である。
【００１２】
【図面の簡単な説明】
【図１】本発明に係る配線器具箱の板金構造を示す説明図である。
【図２】従来技術におけるスポット溶接による配線器具箱の扉を示す斜視図である。
【図３】従来技術における板金による配線器具箱の扉を示す斜視図である。
【符号の説明】
１      配線器具箱
２      扉
３      切り込み
４      展開孔
５      擬孔
【図１】
2005027377.tif 000003
【図２】
2005027377.tif 000004
【図３】
2005027377.tif 000005
(57)【要約】【課題】モータ保護リレーの保護時間を任意に設定でき、かつ安価な保護回路を提供する。【解決手段】本発明のモータ保護回路は、モータ保護リレー１と並列に設けたバイパス回路７と、電磁接触器２の閉路と第１のタイマ８および第２のタイマ９とで動作する補助リレー３と、バイパス回路７に接続した補助リレーのａ接点３ａと、モータ保護リレー１後段に設けた補助リレーのｂ接点３ｂとを備え、モータ起動開始からモータ保護リレー１を一定時間動作させた後、補助リレー３を任意の時間動作させ、モータ保護リレー１を非動作とし、その後再びモータ保護リレー１を動作させるものである。【選択図】    図１
2005027362.tif 000002
【特許請求の範囲】
【請求項１】
電路を遮断するパワーヒューズと、モータを起動させる電磁接触器と、モータの電流を検出する変流器と、前記変流器に接続され、電流に連動して動作するモータ保護リレーとからなるモータ保護回路において、
前記モータ保護リレーと並列に設けたバイパス回路と、前記電磁接触器のａ接点と第１のタイマおよび第２のタイマとで動作する補助リレーと、前記バイパス回路に接続した前記補助リレーのａ接点と、前記モータ保護リレー後段の接続線に設けた前記補助リレーのｂ接点と、前記補助リレーのｂ接点と並列に設けた抵抗とを備え、モータ起動開始から前記モータ保護リレーを一定時間動作させた後、前記補助リレーを任意の時間動作させて前記モータ保護リレーを非動作とし、その後再び前記モータ保護リレーを動作させることを特徴とするモータ保護回路。
【発明の詳細な説明】
【０００１】
【発明の属する技術分野】
本発明は、始動時間の長いモータを保護するモータ保護回路に関する。
【０００２】
【従来の技術】
従来のモータ保護回路は、保護装置１台で起動開始から、起動完了までの保護を対象としている。そのため、モータ保護装置の時間特性に保護機能が制限されていた（例えば、特許文献１参照）。
【０００３】
【特許文献１】
特開平１１−２０６００１
【０００４】
従来のモータ保護回路は図３のようになっている。
図３は、従来のモータ保護回路の構成を示す接続図である。
図において、１はモータ保護リレー、２は電磁接触器、５はパワーヒューズ、６は変流器である。モータ保護リレー１により、過負荷保護、欠相保護を行う。モータ保護リレー１は過負荷、欠相を検出して、電磁接触器２をトリップさせることで、モータを保護する回路である。モータ保護リレー１では、始動時間を考慮し、時間設定することで、誤動作せずにモータを保護している。
【０００５】
【発明が解決しようとする課題】
しかしながら、従来のモータ保護回路では、モータ保護リレー１台でモータを保護するので、モータ保護リレーの時間特性に保護機能が制限され、モータの起動時間の長いものには特殊なリレーもしくは、高価なリレーを使用しなければならないという問題があった。
そこで、本発明はモータ保護リレーの保護時間を任意に設定でき、かつ安価な保護回路を提供することを目的とする。
【０００６】
【課題を解決するための手段】
上記問題を解決するため、請求項１に記載の本発明は、電路を遮断するパワーヒューズと、モータを起動させる電磁接触器と、モータの電流を検出する変流器と、前記変流器に接続され、電流に連動して動作するモータ保護リレーとからなるモータ保護回路において、前記モータ保護リレーと並列に設けたバイパス回路と、前記電磁接触器のａ接点と第１のタイマおよび第２のタイマとで動作する補助リレーと、前記バイパス回路に接続した前記補助リレーのａ接点と、前記モータ保護リレー後段の接続線に設けた前記補助リレーのｂ接点と、前記補助リレーのｂ接点と並列に設けた抵抗とを備え、モータ起動開始から前記モータ保護リレーを一定時間動作させた後、前記補助リレーを任意の時間動作させ前記モータ保護リレーを非動作とし、その後再び前記モータ保護リレーを動作させるものである。
本構成によれば、モータの起動過程に沿って、補助リレーの接点を任意に動作させられるので、安価なモータ保護リレーをどのような始動時間のモータにも使用できる。
【０００７】
【発明の実施の形態】
以下、本発明の実施例を図に基づいて具体的に説明する。
図１は、本発明のモータ保護回路の構成を示す接続図である。
図において、１はモータ保護リレー、２は電磁接触器、３は補助リレー、４は抵抗、５はパワーヒューズ、６は変流器、７はバイパス回路、８は第１のタイマ、９は第２のタイマである。モータ保護リレー１により、過負荷、欠相を検出して、電磁接触器２をトリップさせることで、モータを保護する。補助リレー３は、モータ保護リレー１のバイパス回路７を構成する補助リレーのａ接点３ａおよび補助リレーのｂ接点３ｂを有している。そして、電磁接触器２の補助接点２ａ及び、第１のタイマ８と第２のタイマ９を使用し補助リレー３を動作させることで、バイパス回路７を任意に構成できる。また、抵抗４は、バイパス回路７を閉じた場合にモータ保護回路に電流を流さず、変流器６の２次回路を開路しないための、インピーダンス抵抗である。
つぎに、本発明のモータ保護回路の動作について説明する。
図２はモータ保護回路の手順を示すタイムチャートである。
はじめに、モータは電磁接触器投入指令を受け、電磁接触器２を閉路することで、モータが起動する。電磁接触器２の閉路を受け、第１のタイマ８と第２のタイマ９がカウントを始める。モータの起動開始時点は補助リレーのａ接点３ａ  の接点は開路であり、モータの保護はモータ保護リレー１を動作させた状態にすることで過負荷保護、欠相保護を行う。起動途中に第１のタイマ８がタイムアップし、第１のタイマのａ接点８ａが動作することで、補助リレーのａ接点３ａが動作し、モータ保護リレー１のバイパス回路７を閉路する。閉路することでモータ保護リレー１の動作を止める。起動完了時間と、モータ保護リレー１の時間特性を考慮し、第２のタイマ９のｂ接点９ｂを設定し第２のタイマ９がタイムアップし、第２のタイマ９のｂ接点９ｂが動作することで、補助リレーのａ接点３ａが開路となり、再びモータ保護リレー１を動作状態に復帰させ、過負荷保護、欠相保護を行う。このように、モータの起動過程に沿って、図１の補助リレー３の接点を動作させることで、モータ保護リレー１の保護時間を任意に設定できるモータ保護回路を構成できる。
【０００８】
【発明の効果】
以上述べたように、本発明によれば、モータ保護リレーと並列にバイパス回路を設け補助リレーの接点を任意に動作させるので、保護時間を任意に設定できるモータ保護回路を構成でき、かつ、安価なモータ保護リレーを用いることができるという効果がある。
【図面の簡単な説明】
【図１】本発明のモータ保護回路の構成を示す接続図。
【図２】本発明のモータ保護回路の手順を示すタイムチャート。
【図３】従来のモータ保護回路の構成を示す接続図。
【符号の説明】
１  モータ保護リレー
２  電磁接触器
２ａ  電磁接触器のａ接点
３  補助リレー
３ａ  補助リレーのａ接点
３ｂ  補助リレーのｂ接点
４  抵抗
５  パワーヒューズ
６  変流器
７  バイパス回路
８  第１のタイマ
８ａ  第１のタイマのａ接点
９  第２のタイマ
９ａ  第２のタイマのｂ接点
【図１】
2005027362.tif 000003
【図２】
2005027362.tif 000004
【図３】
2005027362.tif 000005
(57)【要約】【課題】    被服の袖口に縫着される服飾品を注文する際には、被服販売店に準備されている服飾品のサンプルを観て選択し指定している。この服飾品のサンプルは多種多様で多数となり、このサンプルを準備することに多大な時間と経費を要していた。【解決手段】  多種多様で多数の服飾品の情報をデータベースに登録する。このデータベースに登録された服飾品の情報から、必要な所要の服飾品の情報を、通信端末を使用して検索できる構成であるので、迅速に且つ効率よく所要の服飾品を選択できる。【選択図】    図１
2005139600.tif 000002
【特許請求の範囲】
【請求項１】
データベースに登録された被服の袖口、裾部に縫着される多数の各種の服飾品の情報を備え、通信端末を介して前記服飾品の情報を検索し、所要の服飾品を選択可能にしたことを特徴とする、服飾品の選択システム。
【請求項２】
前記被服は男子用スーツ、男子用カジュアルスーツ、女子用スーツ、女子用カジュアルスーツであることを特徴とする、請求項１記載の服飾品の選択システム。
【請求項３】
前記被服は男子用ズボン、男子用カジュアルズボン、女子用ズボン、女子用カジュアルズボンであることを特徴とする、請求項１記載の服飾品の選択システム。
【請求項４】
被服の袖口、裾部に縫着される多数の各種の服飾品の情報を登録するステップと、
前記多数の各種の服飾品の情報から所要の服飾品の情報を指定するステップと、
この所要の服飾品の情報を検索するステップと、
この検索された服飾品の情報から所要の服飾品の情報を選択し、決定するステップと、
を備えたことを特徴とする、服飾品の選択方法。
【発明の詳細な説明】
【発明の詳細な説明】
【技術分野】
【０００１】  本発明は被服の袖口又は裾部に服飾品を縫着する際に、所要の服飾品の情報を速やかに選択できる服飾品の選択システムと方法に関するものである。
【背景技術】
【０００２】  現在被服販売店において、既製服を購入する者は、店内で自ら試着して試着者の身体に応じて被服の端部を詰めること（被服の補整という）により、試着者の身体にフィットすることを確かめてから被服を購入しているのが通例である。
そのため被服販売店では試着者の身体の寸法に応じて被服の袖の端部を詰める作業（補整作業）を実施している。
【発明が解決しようとする課題】
【０００３】  このような補整作業の際には、既製服（例えば男性用スーツ）の袖口にはボタンしか縫着されていないのが通例である。しかし最近この袖口に新たにに装飾品（服飾品）を縫着して高級感をもたせたり、他人の被服と差別化したりして体裁をよくするという要請が起こってきた。
この服飾品を注文するものは、服飾品を注文する際には、販売店に準備されている服飾品のサンプルを観て選択し、指定している。この服飾品のサンプルは多種多様で多数となり、このサンプルを準備することは多大の時間と経費を要していた。
そのため服飾品のサンプルは準備せず、コンピュータに服飾品のサンプルの情報を登録して、注文者の要請により、所要の服飾品を選択、決定する方法が考えられた。
本発明の目的は、上述の事情によりなされたものであって、所要の服飾品の情報を速やかに選択できる服飾品の選択システムと方法を用いることによって、効率的に服飾品の選択して被服の袖口に服飾品を縫着できるようにしたものである。
【課題を解決するための手段】
【０００４】  本発明は、服飾品の選択システムと方法であって、本発明の上記目的は、データベースに登録された被服の袖口、裾部に縫着される多数の各種の服飾品の情報を備え、通信端末を介して前記服飾品の情報を検索し、所要の服飾品を選択可能にしたことを特徴とする、服飾品の選択システムを提供することによって、達成される。
また本発明の上記目的は、
前記被服は男子用スーツ、男子用カジュアルスーツ、女子用スーツ、女子用カジュアルスーツであることを特徴とする、請求項１記載の服飾品の選択システムによって、達成される。
また本発明の上記目的は、
前記被服は男子用ズボン、男子用カジュアルズボン、女子用ズボン、女子用カジュアルズボンであることを特徴とする、請求項１記載の服飾品の選択システムを提供することによって、達成される。
また本発明の上記目的は、
被服の袖口、裾部に縫着される多数の各種の服飾品の情報を登録するステップと、
前記多数の各種の服飾品の情報から所要の服飾品の情報を指定するステップと、
この所要の服飾品の情報を検索するステップと、
この検索された服飾品の情報から所要の服飾品の情報を選択し、決定するステップと、
を備えたことを特徴とする、服飾品の選択方法を提供することによって、達成される。
【発明を実施するための最良の形態】
【０００５】  以下、本発明の実施の形態を図面を参照して詳しく説明する。
図１は本発明に係る服飾品の選択システムと方法の全体構成の一例を示している。１は通信端末で、パーソナルコンピュータやモバイルコンピュータ等の可搬型または据置型の汎用コンピュータであり、インターネットのブラウザ（閲覧ソフトウェア）を利用可能な情報処理端末が好ましい。
２は、例えば男子用カジュアルスーツである被服の袖口に装飾品（服飾品）の情報が蓄積して登録されているデータベースである。この服飾品の情報としては一例として図２に示されるように各種の形状で、図２には示されないが、色彩のくみあわせあり、（Ａ）−（Ｅ）以外多数の服飾品の情報がある。
３は前記データベース２に蓄積、登録される服飾品の情報を管理・処理する処理サーバーである。このような構成において、前記通信端末を操作して、目的とする所要の服飾品の情報を検索してその服飾品を選択する。【０００６】    上述のような構成において、服飾品の選択方法を詳細に説明する。図３は服飾品の選択方法を示す処理フローである。図中に使用されているＳ１、Ｓ２・・・は手順（ステップ）の番号を示す。図３のステップＳＴ１において、図２に示されるような各種の服飾品の情報を多数登録する。この服飾品の情報が登録されてから所要の服飾品の情報例えば（Ａ）を指定する。この服飾品の情報が指定されたら、通信端末を使用して所要の服飾品の情報を検索し（ステップＳＴ４）し、所要の服飾品の情報を決定する。このように通信器端末を使用することにより所要の服飾品の情報を迅速に求めることができる。
【発明の効果】
【０００７】  以上説明したように、本発明は、各種の多数の服飾品の情報をデータベースに登録し、必要に応じて所要の服飾品の情報を、通信端末を介して前検索するようにしたので、所要の服飾品を迅速に且つ効率良く求めることができる。
また従来使用していた、服飾品の情報のサンプルも不用となり、その結果費用が廉価で済むという効果がある。
【図面の簡単な説明】
【図１】  本発明による服飾品の選択システムの全体構成の一実施例を示す図である。
【図２】  本発明による服飾品の種類を示す説明図である。
【図３】  本発明の服飾品の選択方法を説明するための処理フローである。
【符号の説明】
１      通信端末
２      データベース
３      処理サーバー
【図１】
2005139600.tif 000003
【図２】
2005139600.tif 000004
【図３】
2005139600.tif 000005
(57)【要約】【課題】使用時の足カバーの紛失の恐れが無く、簡単に着用できる足カバー付きズボンを提供する。【解決手段】任意素材にて形成されたズボンの両下端に足カバーを一体に設けたことを特徴とする。【選択図】  図１
2005139598.tif 000002
【特許請求の範囲】
【請求項１】
任意素材にて形成されたズボンの両下端に足カバーを一体に設けたことを特徴とする足カバー付きズボン。
【請求項２】
ズボンと足カバーを着脱自在に設けてなる足カバー付きズボン。
【発明の詳細な説明】
【技術分野】
【０００１】  この発明は、ズボン下端に足カバーを設けた足カバー付きのズボンに関する。
【背景技術】
【０００２】  従来より、ズボンと足カバーは各々単独の商品として販売されており、本発明にて示すように、両者を合体させたものは見当たらない。
【発明の開示】
【発明が解決しようとする課題】
【０００３】  従来より乳児・幼児の衣類としてズボンが多用され、また足カバーも利用されている。
乳幼児の移動手段としてベビーカーがよく使われるが、この移動中に靴や足カバーが足先から離脱落下して紛失することがあり、また乳幼児に靴下を履かせるとき、いやがって履かせにくいという問題があった。乳児を抱いて移動するときなどは、靴が必要ないこともあり、靴下や足カバーで済ませるが、ズボンを履かせてから靴下や足カバーを履かせるという手間がかかる。
本発明は、以上のような従来からのズボンと足カバーの利用に関わる課題を解決するために発明されたもので、ズボンと足カバーを一体化することによりその着脱も容易であるとともに、足カバーの紛失を防止できる新規な足カバー付きのズボンを提供することを目的としたものである。
【課題を解決するための手段】
【０００４】  課題を解決する手段として本発明は、ズボンに足カバーを一体に設けてその主要部を構成した。すなわち、任意素材にて形成されたズボンの両下端に足カバーを一体に設ける。
本発明は以上の構成よりなる足カバー付きズボンである。
【発明の効果】
【０００５】  本発明は下記の効果を有する。
１．ズボン下端に足カバーを一体に設けたので、着用時に足カバーを紛失することがない。
２．本発明を着用することにより、人体下肢と足先の双方を同時にカバーできるので、従来のようにズボンと靴下又は足カバーの双方を着用する手間が省ける。
３．つなぎスタイルの着用に比べ、おむつ換えが楽である。
【発明を実施するための最良の形態】
【０００６】  以下、本発明の実施形態について説明する。
図において、１は布製のズボンで、ウエスト部分にゴムひもが内蔵されている。２は少し厚めの布製足カバーで、その上部がズボン下端に縫着されている。
本発明は以上の構成で、使用時は普通のズボンと同様に着用する。着用完了時において、足先はカバー内に位置し、足カバー着用状態となるが、ズボンと足カバーは一体になっているので、足カバーの紛失の恐れがない。また、素足に着用しても靴下着用状態にて使用してもよい。
以上の例はズボンと足カバーが縫着により一体化しているが、図５に示すようにズボンと足カバーを面ファスナーにて着脱自在に設けてもよい。この面ファスナーは、ズボンの下端近傍外周と足カバー上部内面に各々縫着にて設けることで目的を達することができる。あるいは、ズボン外周と足カバー内周に、一定間隔にて複数個の面ファスナー小片を設けてもよい。この方式ではズボンと足カバーを状況に応じて着脱可能となるので利便性が向上する。【０００７】  本発明の概要については既述したが、本発明は既存商品のズボンと足カバーを一体化させて使用するところにその特徴がある。従来方式ではズボンと足カバーは単品として使用していたため、使用時の足先からの足カバー離脱があり、紛失の恐れがあった。
しかるに本発明では両者が一体となっているので、この離脱の心配が無く、一動作で双方物品の着用ができて使用に便利なものとなったのである。なお、ズボンの材質に配慮して冬季などの屋外で用いるためのオーバーズボンとしての利用も可能である。
以上のごとく、本発明により足カバーの離脱および紛失を防ぐとともに、その着用に便利なる足カバー付きのズボンを得ることができる。
【図面の簡単な説明】
【０００８】
【図１】本発明の正面図
【図２】本発明の背面図
【図３】本発明の右側面図
【図４】本発明の要部構造説明図
【図５】本発明の要部構造説明図
【図６】本発明の使用状態図
【符号の説明】
【０００９】１  ズボン
２  足カバー
３  縫着部
４  面ファスナー
【図１】
2005139598.tif 000003
【図２】
2005139598.tif 000004
【図３】
2005139598.tif 000005
【図４】
2005139598.tif 000006
【図５】
2005139598.tif 000007
【図６】
2005139598.tif 000008